(57)【要約】      （修正有）【課題】電源を入れたまま連結器具を使ったリフター板の連結・非連結する切り替え作業を行なった場合でも、給紙装置のセンサ検知によりリフター板が動作しない画像形成装置を提供する。【解決手段】リフター板１０４、１０５の上下移動制御手段は、通常の補給動作用の第一のモードと、複数リフター板の器具による結合および器具の取り外し作業用の第二のモードを有す。第一のモード時は用紙の積載を検知してリフター板を上下移動させ、第二のモード時はリフター板の器具による結合および器具の取り外し作業用位置に移動させ、作業用位置にリフター板を停止させる。画像形成装置からモードの切り替え指示を行う手段を持つことを特徴とする。【選択図】図１
2020029318.tif 000002
【特許請求の範囲】
【請求項１】
用紙を給送する給紙装置が付設される画像形成装置であって、
前記給紙装置は少なくとも２つのリフター板を有し、用紙サイズにより前記２つのリフター板のうちの一つを動作させるか複数動作させるかを切り替える事が可能な制御手段と、
少なくとも２つのモードを有し、第１のモードは通常の補給動作用のモードであって、第２のモードは前記複数リフター板の器具による結合および前記器具の取り外し作業用のモードであって、前記第１のモード時は用紙の積載を検知してリフター板を上下移動させ、前記用紙の積載検知により前記リフター板の昇降範囲の上限位置と下限位置との間に設定した初期化位置にリフター板を移動し一旦停止させ、一旦停止後、前記用紙の積載検知により前記初期化位置から前記リフター板を上下移動させ、前記第２のモード時は前記リフター板の器具よる結合および前記器具の取り外し作業用位置に移動させる移動手段と、
前記作業用位置に前記リフター板を停止させ、前記画像形成装置から前記モードの切り替え指示を行う指示手段と、
前記画像形成装置から前記給紙装置に積載する用紙情報を割り当てる手段と、前記用紙情報によって前記画像形成装置から前記モードの切り替えが必要である事を警告する警告手段と、
を有することを特徴とする画像形成装置。
【請求項２】
前記第１のモードでは位置センサの検知に基づき前記リフター板を昇降させ、前記第２のモードでは前記位置センサによる前記リフター板の制御を行なわないことを特徴とする請求項１に記載の画像形成装置。
【請求項３】
前記作業用位置は前記初期化位置よりも高い位置であることを特徴とする請求項１又は請求項２に記載の画像形成装置。
【請求項４】
前記画像形成装置から前記給紙装置に積載する用紙情報を割り当てる手段と、前記用紙情報によって前記画像形成装置から前記モードの切り替えが必要である事を警告する第２の警告手段と、を有することを特徴とする請求項１に記載の画像形成装置。
【発明の詳細な説明】
【技術分野】
【０００１】
本発明は、シートを給送するシート給紙部を備えた画像形成装置に関する。
【背景技術】
【０００２】
近年、複写機、プリンタ、ファクシミリ等の画像形成装置においては、シート給紙装置によりシートを画像形成部に給送して画像を形成するようにしたものが広く普及している。このようなシート給紙装置としては、シート収納部にシートを積載する板状のシート積載手段を昇降可能に設けたものがある。そして、シートを補充する際にはシート積載手段を下降させ、シートを給送する際は、シート積載手段を上昇させて積載されたシートの上面を、上方の給送ローラで給送できる位置に移動させるようにしている。
【０００３】
このようなシート給紙装置（以降ペーパーデッキと呼ぶ）において、板状のシート積載手段（以降リフター板と呼ぶ）がペーパーデッキ内に設置された各センサ（シート検知センサ等）によりシートの積載等を検知しリフター板移動を制御する方法が提案されている。特許文献１、２では、ペーパーデッキのシート補充・交換作業時、センサ検知によりリフター板を上下動させてシート上面またはリフター板上面を常に作業操作性が良い位置に移動させている。
【０００４】
また、長尺用紙を利用する為に前記ペーパーデッキの発展系として図１に示すような長尺対応ペーパーデッキ１００がある。長尺対応ペーパーデッキ１００は２個のリフター板１０４、１０５を備えている。長尺対応ペーパーデッキ１００は使用する用紙送り方向の用紙長サイズによって例えばネジ止めによる連結器具を使ってリフター板１０４、１０５を連結する事でリフター板１０４より用紙サイズ長が長い長尺用紙のシート束を積層収容可能となっている。また、長尺対応ペーパーデッキ１００はリフター板１０４、１０５を連結せずリフター板１０４のみの運用も可能である。この場合、長尺対応ペーパーデッキ１００では長尺用紙は積載不可能となっている。ユーザーにとって上記リフター板連結作業等は、長尺対応ペーパーデッキ１００、画像形成装置の電源を入れたまま行なう事が望ましいが電源をＯＦＦにして行なう事となる。
【先行技術文献】
【特許文献】
【０００５】
【特許文献１】特開平０３−１８２４２８号公報
【特許文献２】特開２００５−９６９９６号公報
【発明の概要】
【発明が解決しようとする課題】
【０００６】
従来技術では長尺対応ペーパーデッキ１００、画像形成装置の電源を入れたまま連結器具を使ったリフター板の連結、非連結する切り替え作業を行なった場合、長尺対応ペーパーデッキ１００のセンサ検知によりリフター板が動作してしまう。その結果ユーザーが行なう連結器具を使ったリフター板の連結、非連結する切り替え作業が出来ないといった問題があり、切り替え作業は長尺対応ペーパーデッキ１００、画像形成装置の電源をＯＦＦにする事が必要になってしまう。
【課題を解決するための手段】
【０００７】
上記の課題を解決するために、本発明に係る画像形成装置は、
用紙を給送する給紙装置が付設される画像形成装置において、前記給紙装置は少なくとも２つのリフター板を有し、用紙サイズにより前記２つのリフター板のうちの一つを動作させるか複数動作させるかを切り替える事が可能な制御手段と、少なくとも２つのモードを有し、第１のモードは通常の補給動作用のモードであって、第２のモードは前記複数リフター板の器具による結合および前記器具の取り外し作業用のモードであって、前記第１のモード時は用紙の積載を検知してリフター板を上下移動させ、前記用紙の積載検知により前記リフター板の昇降範囲の上限位置と下限位置との間に設定した初期化位置にリフター板を移動し一旦停止させ、一旦停止後、前記用紙の積載検知により前記初期化位置から前記リフター板を上下移動させ、前記第２のモード時は前記リフター板の器具よる結合および前記器具の取り外し作業用位置に移動させる移動手段と、前記作業用位置に前記リフター板を停止させ、前記画像形成装置から前記モードの切り替え指示を行う指示手段と、前記画像形成装置から前記給紙装置に積載する用紙情報を割り当てる手段と、前記用紙情報によって前記画像形成装置から前記モードの切り替えが必要である事を警告する警告手段と、を有することを特徴とする。
【発明の効果】
【０００８】
本発明に係る画像形成装置によれば、画像形成装置やペーパーデッキの電源を入れたまま連結器具を使ったリフター板の連結、非連結をする事が容易になり、ユーザーがペーパーデッキで長尺用紙を利用する上で使い勝手が向上する。
【図面の簡単な説明】
【０００９】
【図１】給紙装置１００の構成例を示す断面図である。
【図２】画像形成装置の構成例を示す印刷装置２００の断面図である。
【図３】給紙装置１００の上面図である。
【図４】リフター板連結器具４０１を示す図である。
【図５】リフター板連結器具４０１の取り付け用ネジを示す図である。
【図６】印刷装置２００とその右側部に接続された給紙装置１００の斜視図である。
【図７】印刷装置２００のメインコントローラ７０１を示すブロック図である。
【図８】実施例１、２におけるシート補給動作時の制御フローチャートである
【図９】実施例１におけるメインフローチャートである。
【図１０】実施例１における切り替えモード時のリフター制御過程を示すフローチャートである。
【図１１】実施例１における長尺モード／非長尺モードを選択するＵＩ図である。
【図１２】実施例１における用紙を除去指示するＵＩ図である。
【図１３】実施例１における給紙装置の収納庫シート補給扉１１６を閉じる旨を指示するＵＩ図である。
【図１４】実施例１におけるリフター連結部の取り着け／取り外しの実行を指示するＵＩ図である。
【図１５】実施例２における給紙段の設定画面のＵＩ図である。
【図１６】実施例２における用紙の設定画面のＵＩ図である。
【図１７】実施例２における長尺モードへの切り替え促す警告画面ＵＩ図である。
【図１８】実施例２におけるメインフローチャートである。
【発明を実施するための形態】
【００１０】
以下、本発明を実施するための最良の形態について図面を用いて説明する。
【００１１】
＜画像形成装置の構成＞
図２は、本発明に係る画像形成装置の構成例を示す断面図である。ここでは、画像形成装置の一例として印刷装置２００を例に説明する。
【００１２】
印刷装置２００は、画像形成部２０１、定着部２０２、スキャナ部２０３、操作部２０４、用紙排出部２０７、トナー補給部２１０、及び外部給紙装置２１８を備える。また、画像形成部２０１には、給紙装置２０５、２０６、搬送部２０８、一次転写部２１１、転写ベルト２１２、及び二次転写部２１３が設けられている。定着部２０２には、スイッチバック部２０９、廃トナー収納部２１４、定着ユニット２１５、２１６、及び搬送部２１７、２１８が設けられている。
【００１３】
スキャナ部２０３は、原稿をスキャンして画像の電子データを生成する。操作部２０４は、操作者による印刷装置２００への各種指示を受け付ける。また、操作部２０４には、ハードキーとともに、タッチパネル式などの表示部が設けられている。給紙装置２０５、２０６、長尺対応ペーパーデッキ（図１、１００）は印刷装置２００で印刷するための用紙（記録材）を積載する。用紙排出部２０７は、印刷された用紙を印刷装置２００の外部へ排出する。各搬送部には、一定の間隔で用紙を搬送するためのローラが設けられている。スイッチバック部２０９は、用紙排出部２０７へ用紙を排出する際に用紙の出力面を反転させる。トナー補給部２１０は、画像形成部２０１に対して現像財であるトナーを補給する。
【００１４】
一次転写部２１１は、画像データに従って形成したトナー像を転写ベルト２１２に転写する。二次転写部２１３は、転写ベルト２１２に転写されたトナー像を用紙に転写する。廃トナー収納部２１４は、転写処理の過程において発生した余分なトナーを収納する。定着ユニット２１５は、二次転写部２１３において画像が転写された用紙に熱と圧力を加えて、トナーを用紙に定着させる。定着ユニット２１６は、定着ユニット２１５において画像が定着された用紙にさらに熱と圧力を加えて画像の定着を強化させる。搬送部２０８、２１７、２１８は、用紙を搬送するための搬送路である。搬送部２１７は、定着ユニット２１５から定着ユニット２１６へ用紙を搬送するための搬送路である。搬送部２１８は、定着ユニット２１５から定着ユニット２１６を介さずに用紙排出部２０７又はスイッチバック部２０９へ用紙を搬送するための搬送路である。
【００１５】
＜長尺対応ペーパーデッキ１００の構成＞
図１は印刷装置２００の右側部に接続される長尺対応ペーパーデッキ１００の断面図である。長尺対応ペーパーデッキ１００はシートを補給用に手動で開閉可能なシート補給扉１１６を持つ。さらに、筐体１０１と、二つの収納庫１０２、１０３を備えている。特に収納庫１０２は筐体２０１に対して引き出し収容自在な構造を持ち、引き出した状態でシート補給を行なう事が可能である。
【００１６】
収納庫１０２、１０３は、リフターモータ１０６、１０７により昇降可能なリフター板１０４、１０５を備え、リフター板１０４、１０５上に大量のシート束Ｓを積層収容可能となっている。長尺対応ペーパーデッキ１００の上方にはシート上面検知センサ１１５を備えており、シート上面検知センサ１１５の検知に基づいてシート給送動作時には一定高さを維持するようリフター板１０４，１０５を上昇制御している。
【００１７】
シート給送機構として上流から順にピックアップローラ１１４、分離ローラ対１１３、引き抜きローラ対１１２を備え、下流にシートＳを搬送する。分離ローラ対１１３は、正回転するフィードローラと、同軸上に設けられた所定のトルクリミッタと、逆回転駆動が伝達されるリタードローラとから構成されている。分離ローラ対１１３は２枚以上のシートの重送を防止する。ここで、シートが給送されて積載されているシートの上面の位置が下がると、シート上面検知センサ１１５の信号によりリフター板１０４、１０５が上昇し、シートの上面位置が略一定の位置（図１中ｈ２）になるように制御されている。
【００１８】
位置センサ１１５はリフター板１０４上面（シートが積載されている場合はシート上面）を検知するセンサであり、図１中ｈ１が検知位置となる。下限検知スイッチ１０９はリフター板１０４の移動下限位置（図１中ｈ３）を検知するスイッチである。下限検知スイッチ１１０はリフター板１０５の移動下限位置（図１中ｈ４）を検知するスイッチである。図３は長尺対応ペーパーデッキ１００の上面図である。
【００１９】
３０３（図１中では１１１）、３１６は長尺対応ペーパーデッキ筺体（図１中では１０１）の強度を維持する為の補強部である。３０５、３０６はネジ止め用の穴であり、図４で示すリフター版連結器具（４０１）を図５で示すネジを使ってネジ止めする事でリフター板３０１（図１中では１０４）とリフター板３０２（図１中では１０５）を連結する事が可能な構造を持つ。
【００２０】
リフター板３０１とリフター板３０２を連結して一体として動作させる事で利用可能な最大用紙サイズが長尺用紙（リフター板３０４と３０５の長さを足した長さ）まで可能となる。しかし、リフター板３０４とリフター板３０５の連結した事により収納庫１０２の引き出しは不可能になる。また、補強部（３１１、３１６：図１中では１１１）の上部位置図１中ｈ４より下にリフター板（３０３：図１中では１０４，３０４：図１中では１０５）は移動する事ができなくなり積載可能な最大用紙数（例：１０００枚）が連結しない場合より少なくなる。
【００２１】
図６は印刷装置６０１（図２中では２００）とその右側部に接続された長尺対応ペーパーデッキ６０２（図１中では１００）の斜視図である。図６で示すようにリフター板非連結時矢印Ａの方向に引き出し可能に設けられた収納庫６０２（図１中では１０２）を長尺対応ペーパーデッキ６０２から手前方向に引き出した状態を示した物である。斜視図である図６が示すように収納庫６０３（図１中では１０３）は矢印Ａの方向に引き出し可能であるが収納庫６０４は引き出し不可の構成とする。
【００２２】
＜印刷装置２００の制御構成＞
図７は、本発明に係る印刷装置２００のメインコントローラ７０１を示すブロック図である。メインコントローラ７０１は、ＣＰＵ７０５、ＲＡＭ７０６、操作部Ｉ／Ｆ７０７、ネットワークＩ／Ｆ制御部７０８、モデム７０９、ＲＯＭ７１０、ＨＤＤ７１１を備える。また、イメージバスＩ／Ｆ７１３を介し、ＲＩＰＩ／Ｆ７１４、データ圧縮部７１５、デバイスＩ／Ｆ７１６、及び画像処理部７１７を備える。また、７１２はＣＰＵバスであり、７２４はイメージバスである。
【００２３】
ネットワークＩ／Ｆ７０８には、外部機器とネットワークによって接続を行うためのネットワークケーブル７０３が接続される。モデム７０９には、外部機器と電話回線によって接続を行うための回線ケーブル７０４が接続される。ＣＰＵ７０５は、メインコントローラ７０１全体を制御するためのプログラムを動作させる。ＲＡＭ７０６は、ＣＰＵ７０５上で動作するプログラムによって管理される。ＲＡＭ７０６は、外部から受信したデータを一時的に蓄えるための受信バッファやＲＩＰ７２１によってラスタライズされた画像データを一時的に蓄えるための画像データバッファ等の目的で使用される。ＲＯＭ７１０は、ＣＰＵ７０５上で動作するプログラムやデータ等を格納する。ＨＤＤ７１１は、さまざまなデータを長期的に保存することが可能な不揮発性の記憶装置である。
【００２４】
操作部Ｉ／Ｆ７０７は、操作部７３１とメインコントローラ７０１とを接続するためのインタフェースである。イメージバスＩ／Ｆ７１３は、ＣＰＵバス７１２とイメージバス７２４とを接続するためのインタフェースである。ＲＩＰＩ／Ｆ７１４には、データバス７１８を介してＲＩＰ７２１が接続される。ＲＩＰ７２１は、外部から入力される画像記述データをビットマップイメージデータに変換する機能を有するラスタライズボード（ＲＩＰ）である。ＲＩＰＩ／Ｆ７１４は、データバス７１８によってＲＩＰ７２１とイメージバス７２４を接続するためのインタフェースである。データ圧縮部７１５は、データを圧縮する。
【００２５】
また、デバイスＩ／Ｆ７１６には、データバス７１９を介して給紙排紙装置７２２が接続され、データバス７２０を介してプリンタ７２３が接続される。プリンタ７２３の構成は、図１を用いて上述した構成である。ＣＰＵ７０５は、操作部７３１又は外部機器からネットワークケーブル７０３を介して指示される信号に従って、データバス７１９、７２０を介してプリンタ７２３及び給紙排紙装置７２２へ印刷を行うための命令を発行する。画像処理部７１７は、ＲＩＰ７２１によって生成されたビットマップイメージデータに各種画像処理を施す。画像処理部７１７では、２ページのビットマップイメージデータを１ページのビットマップイメージデータに合成する機能等のビットマップイメージデータをデジタル的に処理する機能を備える。
【００２６】
ジョブ制御部７２５は外部から受信したデータをジョブとして解析して部数（コピー数：Ｎ）、給紙指定、排紙処理情報（ステイブル、排紙先）等の制御情報を得ると共にデータをジョブとして制御する。
【００２７】
ジョブ制御情報保存部７２６は上記取得した制御情報を格納する領域である。給紙制御部７２７は、ＣＰＵ７０１、ジョブ制御部７２５と共に給紙に関する制御を管理する。排紙制御部７２８は、ＣＰＵ７０１、ジョブ制御部７２５と共に排紙に関する制御を管理する。給紙制御情報保存部７２９は、給紙制御部７２７の管理に必要な制御情報を保持する領域である。ペーパーデッキ制御部７３０は、ＣＰＵ７０１と共にペーパーデッキのリフター板に関する制御を管理する。
【００２８】
次に長尺対応ペーパーデッキ１００の通常（以降：リフター制御通常モード）のリフター板移動制御動作について説明する。長尺対応ペーパーデッキ１００のリフター板移動制御動作は以下の２つの場合がある。リフター板１０４とリフター板１０５が連結されていない長尺用紙が積載不可能なペーパーデッキ利用状態の場合（以降：非長尺モードと呼ぶ）と連結されている長尺用紙が積載可能なペーパーデッキ利用状態の場合（以降：長尺モード）で制御が異なる。非長尺モードのペーパーデッキ１００として動作する場合、シートＳの補給は収納庫１０２を筐体１０１から引き出した状態またはシート補給扉１１６を開けた状態で行われる。
【００２９】
また、収納庫１０３側のリフターモータ１０７は常にＯＦＦでありによるリフター板１０５の制御は行なわずリフター板１０５は常にｈ１で固定される。シート補給時、位置センサ１１５によりリフター板１０４に積載されているシート束Ｓの上面（シートが積載されていないときはリフター板１０４の上面）が図１中ｈ１で検知される。リフター板１０４上のシートが無くなると、不図示のシート有無検知センサによりシート無しが検知され、リフターモータ１０６によりリフター板１０４は下降し、位置センサ１０８がｏｎからｏｆｆとなったときにリフターモータ１０６を停止させる。ここで、補給されたシート束Ｓにより位置センサ１０８がｏｎになり、再びリフターモータ１０６はリフター板１０４を下降させる。そして、シート束Ｓが位置センサ０８より下がった位置で位置センサ１０８がｏｆｆになると、リフターモータ１０６が停止する。
【００３０】
上記を図８のシート補給動作時の制御フローチャートで説明する。
【００３１】
ステップＳ８０１において、シート補給位置ｈ１に位置するリフター板１０４にシート束Ｓが補給されると位置センサ１０８がｏｎになり、ステップＳ８０２で再びリフターモータ１０６がリフター板１０４を下降させる。そして、ステップＳ８０３において、下限検知スイッチ１０９がリフター板１０４を検知したかどうか判断し、検知していなければステップＳ８０１に戻る。ステップＳ８０１において、シート束Ｓが位置センサ１０８より下がって位置センサ１０８がｏｆｆになると、ステップＳ１０４に進んでリフターモータ１０７を停止する。
【００３２】
そしてこのシート束Ｓの補給を繰り返えす（Ｓ８０１〜Ｓ８０３）。そしてステップＳ８０３において、リフター板１０４がリフター下限位置ｈ３まで下降して下限検知スイッチ１０９がｏｎになると、ステップＳ８０４でリフターモータ１０６が停止し、リフター板１０４の下降が停止する。このときのシート束Ｓの積載量が最大積載量（例：３５００枚）となる。
【００３３】
次に長尺モードのペーパーデッキ１００として動作する場合を説明する。シートＳの補給はシート補給扉１１６を開けた状態で行われ、収納庫１０２は常に長尺対応ペーパーデッキ１００内にある。非長尺モードとシート補給時、位置センサ１１５によりリフター板１０４、１０５に積載されているシート束Ｓの上面（シートが積載されていないときはリフター板１０４、１０５の上面）が図１中ｈ１で検知される。
【００３４】
リフター板１０４、１０５上のシートが無くなると、不図示のシート有無検知センサによりシート無しが検知さる。そしてリフターモータ１０６、１０７によりリフター板１０４、１０５は下降し、位置センサ１０８がｏｎからｏｆｆとなったときにリフターモータ１０６、１０７を停止させる。ここで、補給されたシート束Ｓにより位置センサ１０８がｏｎになり、再びリフターモータ１０６、１０７はリフター板１０４、１０５を下降させる。そして、シート束Ｓが位置センサ１０８より下がった位置で位置センサ１０８がｏｆｆになると、リフターモータ１０６、１０７が停止する。
【００３５】
図８を用いて、シート補給動作について説明する。ステップＳ８０１において、シート補給位置ｈ１に位置するリフター板１０４にシート束Ｓが補給されると位置センサ１０８がｏｎになり、ステップＳ８０２で再びリフターモータ１０６がリフター板１０４を下降させる。そして、ステップＳ８０３において、下限検知スイッチ１０９がリフター板１０４を検知したかどうか判断し、検知していなければステップＳ８０１に戻る。ステップＳ８０１において、シート束Ｓが位置センサ１０８より下がって位置センサ１０８がｏｆｆになると、ステップＳ１０４に進んでリフターモータ３０７を停止する。
【００３６】
このシート束Ｓの補給を繰り返して（Ｓ８０１〜Ｓ８０３）、ステップＳ８０３において、リフター板３０４がリフター下限位置ｈ３まで下降して下限検知スイッチ１０９がｏｎになると、ステップＳ８０４でリフターモータ１０６が停止する。そしてリフター板１０４の下降が停止する。このときのシート束Ｓの積載量が最大積載量となる。
【００３７】
上記を前記非長尺モード同様図８のシート補給動作時の制御フローチャートで以下説明する。ステップＳ８０１において、シート補給位置ｈ１に位置するリフター板１０４、１０５にシート束Ｓが補給されると位置センサ１０８がｏｎになり、ステップＳ８０２で再びリフターモータ１０６、１０７がリフター板１０４，１０５を下降させる。そして、ステップＳ８０３において、下限検知スイッチ１１０がリフター板１０５を検知したかどうか判断し、検知していなければステップＳ８０１に戻る。ステップＳ８０１において、シート束Ｓが位置センサ１０８より下がって位置センサ１０８がｏｆｆになると、ステップＳ８０４に進んでリフターモータ１０６，１０７を停止する。
【００３８】
このシート束Ｓの補給を繰り返す（Ｓ８０１〜Ｓ８０３）。そしてステップＳ８０３において、リフター板１０４，１０５がリフター下限位置ｈ４まで下降して下限検知スイッチ１１０がｏｎになると、ステップＳ８０４でリフターモータ１０６，１０７が停止し、リフター板１０４，１０５の下降が停止する。このときのシート束Ｓの積載量が最大積載量（例：１０００枚）となる。
【００３９】
＜第１の実施形態＞
図１乃至図１４を用いて、第１の実施形態について説明する。図９は、第１の実施形態のメインとなる制御過程を示すフローチャートである。
【００４０】
図９のステップＳ９０１では、ＣＰＵ７０５は操作部Ｉ／Ｆ７０７を介し、操作部７３１にペーパーデッキ１００で長尺用紙を利用するか否かの切り替え（長尺モード／非長尺モード）を実施するか選択する画面（図１１）の表示を指示する。
【００４１】
そしてステップＳ９０２においてＣＰＵ７０５は切り替の指示がされたかどうかを判定する。切り替指示が無い場合は処理を終了する。
【００４２】
切り替指示がされたと判定された場合は、ステップＳ９０３に進み、ＣＰＵ７０５は給紙制御部７２７の制御の元に給紙制御情報保存部に指示されたモード（長尺対応／非長尺）を保持する。そしてステップＳ９０４に進み、ＣＰＵ７０５は給紙制御部７２７の制御の元にペーパーデッキ１００に用紙が入っているかを判別する。
【００４３】
用紙が入っている場合、Ｓ９０５でＣＰＵ７０５は操作部Ｉ／Ｆ７０７を介し、操作部７３１にペーパーデッキの用紙を除去指示する画面（図１２）の表示を指示する。用紙が入っていない場合ステップＳ９０６に進みＣＰＵ７０５は給紙制御部７２７の制御の元に収納庫１０２がペーパーデッキ１００外に引き出されていないかを、シート補給扉１１６が開いているかを判別する。収納庫１０２がペーパーデッキ１００外に引き出されているかシート補給扉１１６が開いている場合以下の動作となる。Ｓ９０７でＣＰＵ７０５は操作部Ｉ／Ｆ７０７を介し、操作部７３１に収納庫１０２をペーパーデッキ内へ格納、シート補給扉１１６を閉じる旨を指示する画面（図１３）の表示を指示する。
【００４４】
収納庫１０２がペーパーデッキ１００外に引き出されず、シート補給扉１１６も閉じている場合、ステップＳ９０８に進む。そしてＣＰＵ７０５は給紙制御部３２７の制御の元にペーパーデッキ１００のリフター制御モードを切り替えモードに変更する。次にＳ９０９に進み以下切り替えモード時にリフター制御処理を行なう。
【００４５】
図１０は切り替えモード時のリフター制御過程を示すフローチャートである。
【００４６】
図１０のステップＳ１００１でＣＰＵ７０５は給紙制御部７２７の制御の元に給紙制御情報保存部７２９に保持されているモード情報からペーパーデッキ１００を長尺モードに切り替えるのか非長尺モードに切り替えるのかを判断する。非長尺モードに切り替える場合、ステップＳ１００１に進みＣＰＵ７０５はペーパーデッキ制御部７３０の制御の元にリフター板１０４、１０５の現在の位置を確認する。次にステップＳ１００２に進みＣＰＵ７０５はペーパーデッキ制御部７３０の制御の元にリフター板１０４、１０５が前記確認した位置が連結位置である図１中のｈ２であるかどうかを判別する。連結位置であるｈ２ではなかった場合、ＣＰＵ７０５はペーパーデッキ制御部７３０の制御の元にリフターモータ１０６、１０７を制御してリフター板１０４、１０５を連結位置であるｈ２に移動させる。そしてステップＳ１００５に進みＣＰＵ３０５はペーパーデッキ制御部７３０の制御の元リフターモータ１０６、１０７をオフにする。
【００４７】
ステップＳ１００３で連結位置であるｈ２であった場合はステップＳ１００５に進む。ステップＳ１００１で長尺対応デッキに切り替える場合はステップＳ１００６に進む。ステップＳ１００６では、ＣＰＵ７０５はペーパーデッキ制御部７３０の制御の元リフターモータ１０７をオンにする。次にステップＳ１００７でＣＰＵ７０５はペーパーデッキ制御部７３０の制御の元リフター板１０５を連結位置であるｈ２に移動する。そしてテップＳ１００８でＣＰＵ３０５はペーパーデッキ制御部７３０の制御の元にリフターモータ１０７をオフにする。
【００４８】
ステップＳ１００９に進みＣＰＵ７０５はペーパーデッキ制御部７３０の制御の元にリフター板１０４の現在の位置を確認する。次にステップＳ１０１０に進みＣＰＵ７０５はペーパーデッキ制御部７３０の制御の元にリフター板１０４が前記確認した位置が連結位置である図１中のｈ２であるかどうかを判別する。連結位置であるｈ２ではなかった場合、Ｓ１０１１でＣＰＵ７０５はペーパーデッキ制御部７３０の制御の元にリフターモータ１０６を制御してリフター板１０４を連結位置であるｈ２に移動させる。そしてステップＳ１０１２に進みＣＰＵ７０５はペーパーデッキ制御部７３０の制御の元リフターモータ１０６をオフにする。
【００４９】
ステップＳ１０１０で連結位置であるｈ２であった場合は上記ステップＳ１０１２に進む。そして図９のステップＳ９１０でＣＰＵ７０５は操作部Ｉ／Ｆ７０７を介し、操作部７３１にリフター連結部の取り着け／取り外しの実行を指示である画面（図１４）の表示を指示する。そしてステップＳ９１１においてＣＰＵ７０５は操作部７３１から切り替え完了指示がされたかどうかを判定する。完了指示がされたと判定された場合は、ステップＳ９１２に進み、ＣＰＵ７０５はペーパーデッキ制御部７３０の制御の元にリフター制御を通常モードに変更する。
【００５０】
以上のように、ユーザーから長尺用紙を利用するか否かの切り替え（長尺モード／非長尺モード）の指示があった場合、切り替えモード専用のリフター制御処理を行なう事でペーパーデッキ１００内のセンサ検知によるリフター板の移動を防ぐ事が可能となる。その結果、切り替えに必要なユーザー作業である連結器具を使ったリフター板の連結、非連結が電源を入れたままで問題なく行なえようになり、長尺対応ペーパーデッキの長尺用紙利用の利便がより向上する。
【００５１】
＜第２の実施形態＞
図１乃至図８、図１５乃至図１８を用いて第２の実施形態について説明する。まず以下画像形成装置の操作部２０４で給紙段への用紙設定処理に関して説明する。
【００５２】
給紙段への用紙の設定時、図１５に示す給紙段の設定画面が操作部２０４に表示される。画像形成装置のオプション構成によって、給紙段の数は異なる。操作部２０４は、オプション構成により表示を切り替えており、ここでは３箇所からなる給紙装置２０５、２０６、長尺対応ペーパーデッキ１００に対応するボタン１５０２が表示されている。ユーザーが所望の給紙段のボタンを選択すると、選択された給紙段に設定されている用紙の情報１５０６が画面下部に表示される。例えば、図１５では、長尺対応ペーパーデッキ１００のボタンが選択されており、用紙の情報１５０６の欄には、長尺対応ペーパーデッキ１００用紙サイズ「Ａ４」及び用紙種類「普通紙」の用紙が設定されていることが表示されている。
【００５３】
給紙段に設定されている用紙を変更する場合には、変更したい給紙段を選択し、画面右上の設定ボタン１５０３を押す。この設定ボタン１５０３が押されると、図１６に示す用紙の設定画面１６０１が操作部２０４に表示される。画面中央に表示されている用紙情報１６０２は、代表的な用紙特性である、名称、用紙サイズ、用紙種別、色、坪量が表示される。また、名称欄は、現状で給紙段に設定されている用紙を示している。
【００５４】
給紙段に設定されている用紙を変更したい場合には、ユーザーが設定したい用紙の名称を選択し、ＯＫボタン１６０３を押すことで変更することが可能である。現状の設定のままでよいのであれば、キャンセルボタンを押せばよい。このようにして、操作部２０４は、ユーザーの入力に応じて選択された用紙を給紙段に設定する。
【００５５】
図１８は、第２の実施形態のメインとなる制御過程を示すフローチャートである。図１８のステップＳ１８０１では、ＣＰＵ７０５は操作部Ｉ／Ｆ２０７を介し、操作部７３０に給紙段の設定画面（図１５）の表示を指示する。
【００５６】
そしてステップＳ１８０２においてＣＰＵ７０５は給紙段の設定画面（図１５）でペーパーデッキ１００が選択されたかを判別する。ペーパーデッキ１００以外の給紙段が選択された場合はステップＳ１８０３に進み給紙段への用紙設定処理を行なう。ペーパーデッキ１００が選択された場合、ステップＳ１８０４に進み給紙段の設定画面（図１６）で設定ボタン１５０３が選択を待つ。
【００５７】
設定ボタン１５０３が選択された場合、ステップＳ１８０５に進みＣＰＵ７０５は操作部Ｉ／Ｆ７０７を介し、操作部７３１に用紙の設定画面（図１６）の表示を指示する。そしてステップＳ１８０６で用紙の設定画面（図１６）の用紙情報１６０２から給紙段に設定する用紙名称の選択を待つ。
【００５８】
用紙名称が選択された場合ステップＳ１８０７に進み、ＣＰＵ７０５は給紙制御部７２７の制御の元に給紙段設定する用紙サイズが長尺サイズであるかを判別する。もし長尺サイズでない場合はステップＳ１８０３に進む。
【００５９】
長尺サイズの場合はステップＳ１８０８でＣＰＵ７０５は給紙制御部７２７の制御の元に給紙制御情報保存部に保持されたペーパーデッキ１００のモード（長尺対応／非長尺）から現在のペーパーデッキ１００のモードが非長尺モードかどうかを識別する。非長尺モードではない場合、ステップＳ１８０３に進む。
【００６０】
非長尺モードの場合、ステップＳ１８０９に進みＣＰＵ７０５は操作部Ｉ／Ｆ７０７を介し、操作部７３１にペーパーデッキ１００を長尺モードへの切り替え促す警告画面（図１７）の表示を指示する。
【００６１】
本実施例では切り替え促す警告画面の表示を提示したが、警告ではなく実施例１に記載の図９  ステップＳ９０１以降の処理である長尺用紙を利用するか否かの切り替え（長尺モード／非長尺モード）を実施してもよい。
【００６２】
以上のように、長尺対応ペーパーデッキ１００が長尺モードでない場合にユーザーに非長尺モードである事を気付かせ、電源が入ったままユーザーをペーパーデッキの切り替え作業に導く事でより利便がより向上する。
【符号の説明】
【００６３】
１００  給紙装置、２００  印刷装置、２０１  画像形成部
【図１】
2020029318.tif 000003
【図２】
2020029318.tif 000004
【図３】
2020029318.tif 000005
【図４】
2020029318.tif 000006
【図５】
2020029318.tif 000007
【図６】
2020029318.tif 000008
【図７】
2020029318.tif 000009
【図８】
2020029318.tif 000010
【図９】
2020029318.tif 000011
【図１０】
2020029318.tif 000012
【図１１】
2020029318.tif 000013
【図１２】
2020029318.tif 000014
【図１３】
2020029318.tif 000015
【図１４】
2020029318.tif 000016
【図１５】
2020029318.tif 000017
【図１６】
2020029318.tif 000018
【図１７】
2020029318.tif 000019
【図１８】
2020029318.tif 000020